(57)【要約】【課題】車両が走行中の場合、不要な操作を抑止して、安全運転を促進させることを課題とする。【解決手段】車載システム１の車載装置１０は、車両の走行情報を取得して、無線通信で接続される携帯端末４０に送信し、無線通信により連携接続される携帯端末４０から取得した情報であって、表示操作部１２に表示する情報が利用者により操作された場合に、当該操作された内容を特定する操作情報を携帯端末４０に送信する。そして、携帯端末４０は、車載装置１０から操作情報を受信した場合に、車両の走行情報に基づいて、当該操作情報により特定される操作を規制するか否かを判定し、操作を規制しないと判定された場合には、当該操作を実行して得られる操作結果を車載装置１０に応答し、操作を規制すると判定された場合には、当該操作を拒否する。【選択図】        図２
2010130670.tif 000002
【特許請求の範囲】
【請求項１】
車両に搭載される表示部を有する車載装置と、当該車載装置と無線通信で接続される携帯端末装置とを有する車載システムであって、
前記車載装置は、
前記車両の走行情報を取得して、前記無線通信で接続される携帯端末装置に送信する走行情報送信手段と、
前記無線通信により接続される前記携帯端末装置から取得した情報であって、前記表示部に表示する情報が利用者により操作された場合に、当該操作された内容を特定する操作情報を前記携帯端末装置に送信する操作情報送信手段とを有し、
前記携帯端末装置は、
前記車載装置から前記操作情報を受信した場合に、前記車両の走行情報に基づいて、当該操作情報により特定される操作を規制するか否かを判定する操作判定手段と、
前記操作判定手段により操作を規制しないと判定された場合には、当該操作を実行して得られる操作結果を前記車載装置に応答し、前記操作判定手段により操作を規制すると判定された場合には、当該操作を拒否する操作制御手段と、
を備えたことを特徴とする車載システム。
【請求項２】
前記携帯端末装置は、実行されるアプリケーションと、前記車両の走行状態が走行中である場合に操作を規制するか否かを示す規制情報とを対応付けて記憶する規制情報記憶手段をさらに備え、
前記操作判定手段は、前記車載装置から受信した走行情報が走行中である場合に、前記車載装置から前記操作情報を受信すると、前記操作情報が検出されたアプリケーションに対応する規制情報を前記規制情報記憶手段から特定し、特定した規制情報に基づいて当該操作情報により特定される操作を規制するか否かを判定することを特徴とする請求項１に記載の車載システム。
【請求項３】
前記携帯端末装置は、前記車載装置に予め備えられたスイッチを示すオブジェクトと、前記車両の走行状態が走行中である場合に操作を規制するか否かを示す規制情報とを対応付けて記憶するオブジェクト規制情報記憶手段をさらに備え、
前記操作判定手段は、前記車載装置から受信した走行情報が走行中である場合に、前記車載装置から前記操作情報を受信すると、前記操作情報が検出されたオブジェクトに対応する規制情報を前記オブジェクト規制情報記憶手段から特定し、特定した規制情報に基づいて当該操作情報により特定される操作を規制するか否かを判定することを特徴とする請求項１に記載の車載システム。
【請求項４】
前記携帯端末装置は、前記車載装置から受信した走行情報が走行中であり、すべての操作を規制する場合には、バックライトをオフにすることを特徴とする請求項１に記載の車載システム。
【請求項５】
前記車載装置は、前記走行情報送信手段により取得された走行情報に基づいて、車両が走行中であるか停車中であるかを判定する走行状態判定手段をさらに備え、
前記携帯端末装置の操作判定手段は、前記車載装置から前記車両が走行中であるか停車中であるかを示す走行状態判定結果を受信した場合には、当該受信した走行状態判定結果に基づいて、当該操作情報により特定される操作を規制するか否かを判定することを特徴とする請求項１に記載の車載システム。
【発明の詳細な説明】
【技術分野】
【０００１】
この発明は、車両に搭載される表示部を有する車載装置と、当該車載装置と無線通信で接続される携帯端末装置とを有する車載システムに関する。
【背景技術】
【０００２】
ＧＰＳ（Global  Positioning  System）を利用したカーナビゲーションシステムの普及に伴い、車両には、ナビゲーション機能を有する車載装置が搭載される場合が多くなってきた。また、車載装置の多機能化を求めるユーザニーズに応えるために、車載装置の多機能化も顕著となってきている。
【０００３】
たとえば、車載装置には、ナビゲーション機能に加えて、テレビ受信機能、ＣＤ（Compact  Disc）再生機能、ＤＶＤ（Digital  Versatile  Disk）再生機能などの多くの機能が盛り込まれることも多い。しかし、車載装置の多機能化は車載装置の高価格化を招くため、ユーザにとって好ましいものではない。
【０００４】
一方、携帯電話などの携帯端末装置は、低価格でありながら、ナビゲーション機能や音楽再生機能を有するものも普及してきている。また、ブルートゥース（登録商標）などの近距離無線通信機能を搭載する携帯端末装置も普及してきたことから、かかる近距離無線通信機能で携帯端末装置と車載装置とを連携させ、携帯端末装置側の機能を車載装置側で利用する取り組みもなされている。これにより、車載装置の低価格化を図ることが可能となる。
【０００５】
たとえば、特許文献１には、携帯端末装置の画面に表示される表示画面を車載装置へ送信し、車載装置のディスプレイに対して携帯端末装置で生成された表示画面を表示する技術が開示されている。
【０００６】
【特許文献１】特開２００３−２４４３４３号公報
【発明の開示】
【発明が解決しようとする課題】
【０００７】
しかしながら、上記した従来の技術は、車両が走行中でも車載装置を制御することができるため、運転に支障をきたし、安全運転を阻害してしまうという課題があった。
【０００８】
具体的には、特許文献１のような従来技術では、カーナビなどを有しない安価なオーディオディスプレイを想定しているため、走行中に操作を禁止するような高性能な機能を有していないのが一般的である。そのため、特許文献１のような技術で車載装置と携帯端末装置とを無線通信により相互に接続、すなわち連携させて、カーナビなどを車載装置で利用した場合、運転者は、車両が走行中であっても車載装置を操作できてしまう。
【０００９】
また、カーナビなどを有する高性能な車載装置を用いて、車載装置と携帯端末装置とを連携させた場合、車載装置側では、走行中の操作を拒否する（受け付けない）制御を実施することができる。その一方で、外部と通信を行う携帯端末側では、走行中であっても操作を受け付けてしまうので、走行中に受け付けた操作を実行した情報を車載装置に送信することとなる。したがって、車載装置と携帯端末装置とを有する車載システム全体で見た場合、運転者は、車両が走行中であっても車載装置を操作できてしまう。
【００１０】
そこで、この発明は、上述した従来技術の課題を解決するためになされたものであり、車両が走行中の場合、不要な操作を抑止して、安全運転を促進させることが可能である車載システムを提供することを目的とする。
【課題を解決するための手段】
【００１１】
上述した課題を解決し、目的を達成するため、本発明は、車両に搭載される表示部を有する車載装置と、当該車載装置と無線通信で接続される携帯端末装置とを有する車載システムであって、前記車載装置は、前記車両の走行情報を取得して、前記無線通信で接続される携帯端末装置に送信する走行情報送信手段と、前記無線通信により連携接続される前記携帯端末装置から取得した情報であって、前記表示部に表示する情報が利用者により操作された場合に、当該操作された内容を特定する操作情報を前記携帯端末装置に送信する操作情報送信手段とを有し、前記携帯端末装置は、前記車載装置から前記操作情報を受信した場合に、前記車両の走行情報に基づいて、当該操作情報により特定される操作を規制するか否かを判定する操作判定手段と、前記操作判定手段により操作を規制しないと判定された場合には、当該操作を実行して得られる操作結果を前記車載装置に応答し、前記操作判定手段により操作を規制すると判定された場合には、当該操作を拒否する操作制御手段と、を備えたことを特徴とする。
【発明の効果】
【００１２】
本発明によれば、車両が走行中の場合、不要な操作を抑止して、安全運転を促進させることが可能である。
【発明を実施するための最良の形態】
【００１３】
以下に添付図面を参照して、この発明に係る車載システムの実施例を詳細に説明する。なお、以下では、本実施例に係る車載システムの概要、車載システムの構成および処理の流れを順に説明し、最後に本実施例に対する種々の変形例を説明する。
【実施例１】
【００１４】
最初に、本実施例で用いる主要な用語を説明する。本実施例で用いる「車載システム」とは、自動車に搭載されるＤＡ（display  Audio）と呼ばれる車載装置と、サーバ装置からアプリやデータを受信する携帯端末とが近距離無線通信機能で連携するシステムのことである。
【００１５】
ここで、ＤＡとは、表示機能やオーディオ再生機能、携帯端末装置との通信機能といった基礎的な機能のみを実装し、携帯端末装置と連携することで多機能化する車載装置のことを指す。したがって、本実施例で用いる車載装置は、近年、車両に搭載される高精度な車載装置などと比べて安価な装置であり、普及が期待できる装置である。
【００１６】
また、携帯端末とは、ブルートゥース（登録商標）や赤外線通信などの近距離無線通信機能を有するとともに、メール機能、インターネット接続機能（Ｗｅｂ接続機能）、音楽プレーヤー機能、動画像再生機能など様々な機能を有する高精度な装置であり、例えば、パーソナルコンピュータやＰＤＡ、あるいは携帯電話やＰＨＳの如き移動体通信端末である。
【００１７】
［車載システムの概要］
次に、図１を用いて、実施例１に係る車載システムの概要を説明する。図１は、実施例１に係る車載システムの概要を説明するための図である。
【００１８】
図１に示すように、車載システムは、自動車に搭載されるＤＡと呼ばれる車載装置と、サーバ装置からアプリやデータを受信する携帯端末とを連携させ、車両が走行中の場合、不要な操作を抑止して、安全運転を促進させることができる。なお、ここで言う車載装置と携帯端末装置とを無線通信により相互に接続すること、すなわち、連携とは、携帯端末で更新された情報が車載装置に反映され、車載装置で更新された情報が携帯端末に反映されることを指し、また、携帯端末で実行されているアプリケーションの画像などを表示する車載装置でユーザによる操作を受け付けた場合、当該操作内容は携帯端末側で実行され、車載装置は操作結果を出力する。
【００１９】
具体的には、車載装置は、車両の走行情報を取得して、無線通信で接続される携帯端末に送信する（図１の（１）と（２）参照）。例えば、車載装置と携帯端末との間でペアリング処理が実施されて無線通信が確立されると、車載装置は、車両の各種センサから速度や加速度、ブレーキ有無などの情報、すなわち走行情報を定期的に取得して、無線通信で接続される携帯端末に送信する。
【００２０】
そして、車載装置は、無線通信により連携接続される携帯端末から取得した情報であって、ディスプレイなどの表示部に表示される情報が利用者により操作された場合に、当該操作された内容を特定する操作情報を携帯端末に送信する（図１の（３）と（４）参照）。具体的に例を挙げると、車載装置は、携帯端末からナビゲーション情報を取得して表示しており、ユーザにより目的地変更のボタンが選択されたとする。この場合、選択された座標または選択された目的地変更ボタンを示す操作コマンドを携帯端末に送信する。
【００２１】
続いて、携帯端末は、車載装置から操作情報を受信した場合に、車両の走行情報に基づいて、当該操作情報により特定される操作を規制するか否かを判定し（図１の（５）参照）、操作を規制しないと判定された場合には、当該操作を実行して得られる操作結果を車載装置に応答し、操作を規制すると判定された場合には、当該操作を拒否する（図１の（６）参照）。ここで「拒否する」とは、当該操作を実行しないこと、または、当該操作を実行しても、車載装置に実行結果を応答しないことをいう。
【００２２】
上記した例で具体的に説明すると、携帯端末は、車載装置から目的地変更ボタンを示す座標または目的地変更ボタンを示す操作コマンドを受信する。そして、携帯端末は、最近受信した車両の走行情報が「走行中」であるまたは車両の走行情報から「走行中」と判断できる場合、当該目的地変更を規制すると判定して、当該操作を拒否する旨の応答を車載装置に送信する。また、携帯端末は、最近受信した車両の走行情報が「停止中」であるまたは車両の走行情報から「停止中」と判断できる場合、当該目的地変更を規制しないと判定して、当該コマンドの応答として新たな目的地を入力させる画面を車載装置に送信する。
【００２３】
このように、実施例１に係る車載システムは、車載装置と携帯端末とが無線通信により連携接続されている状態であっても、高性能でない安価なＤＡを用いていても、車両が走行中の場合、携帯端末側で操作を抑止することができる結果、運転に必要のない不要な操作を抑止して、安全運転を促進させることができる。「走行中」との判断は、車速や加速度が生じていることを条件に判断を行う。「停止中」との判断は、車速や加速度が生じていないこと、又は、ブレーキが作動医していないことを条件に判断を行う。
【００２４】
［車載システムの構成］
次に、図２を用いて、図１に示した車載システムの構成を説明する。図２は、実施例１に係る車載システムの構成を示すブロック図である。図２に示すように、この車載システム１は、車載装置１０と携帯端末４０とから構成されるため、ここでは、それぞれの装置について説明する。
【００２５】
（車載装置１０の構成）
まず、実施例１に係る車載システムにおける車載装置１０の構成について説明する。図２に示すように、車載装置１０は、近距離通信部１１と、表示操作部１２と、制御部１５とを有し、車両制御系ユニット２０やスピーカー３０、ハードＳＷ（ハードスイッチ）３１と接続される。
【００２６】
かかる車両制御系ユニット２０は、車載装置１０と接続され、例えば、車速センサ２０ａ、ＧＰＳ（Global  Positioning  System）通信部２０ｂなど（他には、加速度センサ２０ｃ、ブレーキセンサ２０ｄ、ステアリングセンサ、パーキングブレーキ（ＰＫＢ）、ウインカーセンサなど）車両の状態を検知する各種センサを含んで構成され、車両の速度（車速）、車両の加速度、車両のタイヤの位置、車両の現在地、ウインカーの動作、ブレーキの状態を検知する。
【００２７】
スピーカー３０は、車載装置１０から入力された音声信号を車両内に出力するものであり、例えば、運転席横、助手席横、後部座席左横、後部座席右横などに設置されている。ハードＳＷ３１は、車両に備え付けられたハードスイッチであり、例えば、車載装置起動スイッチ、エアコン操作スイッチ、ハザードスイッチなどのスイッチである。
【００２８】
車載装置１０の構成に戻り、近距離通信部１１は、ブルートゥース（登録商標）などの近距離無線通信を用いて携帯端末４０との通信リンクを確立するとともに、確立した通信リンクを用いて車載装置１０／携帯端末４０間の通信処理を行う。ここで、ブルートゥース（Bluetooth：登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。
【００２９】
なお、本実施例では、ブルートゥース（登録商標）を用いて車載装置１０／携帯端末４０間の通信を行う場合について説明するが、Ｗｉ−Ｆｉ（ワイファイ：登録商標）、ＺｉｇＢｅｅ（ジグビー：登録商標）といった他の無線通信規格を用いることとしてもよい。また、車載装置１０／携帯端末４０間の通信を有線通信で行うこととしてもよい。
【００３０】
表示操作部１２は、制御部１５と接続され、制御部１５から出力された画像を表示出力する。具体的には、表示操作部１２は、タッチパネルディスプレイなどの入出力デバイスで構成され、携帯端末４０から受け取って制御部１５で出力可能な形式に変換された表示画面を表示するとともに、表示した表示画面に対するタッチ情報などを取得する。ここで、タッチ情報とは、タッチされたディスプレイ上の座標や、タッチから次のタッチまでの時間間隔などを含んだ情報である。なお、表示操作部１２は、取得したタッチ情報を制御部１５へ通知する。
【００３１】
制御部１５は、ＯＳ（Operating  System）などの制御プログラム、各種の処理手順などを規定したプログラムおよび所要データを格納するための内部メモリを有するとともに、無線確立部１６と、走行情報送信部１７と、表示制御部１８と、操作情報送信部１９とを有し、これらによって種々の処理を実行する。
【００３２】
無線確立部１６は、車載装置１０と無線通信が可能な所定の距離に位置する携帯端末４０に対して、無線通信を確立する。具体的には、無線確立部１６は、当該装置の電源がＯＮになると、近距離通信部１１を起動して、無線通信可能な領域に端末が存在するか否かを探索する。そして、無線確立部１６は、無線通信可能な領域に携帯端末４０が侵入した場合、進入した携帯端末４０を検知し、検知した携帯端末４０に対して近距離通信部１１を用いたペアリング処理を実施して、携帯端末４０との間に無線通信を確立する。
【００３３】
また、無線確立部１６は、ユーザの操作に従って、携帯端末と無線通信を確立することもできる。例えば、後述する表示操作部１２に携帯端末との連携開始ボタンを表示しておき、このボタンがユーザにより押下されると、無線確立部１６は、近距離通信部１１を起動して、無線通信可能な領域に端末が存在するか否かを探索する。そして、無線確立部１６は、携帯端末４０を検知すると、検知した携帯端末４０に対して近距離通信部１１を用いたペアリング処理を実施して、携帯端末４０との間に無線通信を確立する。
【００３４】
走行情報送信部１７は、車両の走行情報を取得して、無線通信で接続される携帯端末４０に送信する。具体的に例を挙げれば、走行情報送信部１７は、例えば、５分に１回や前回取得した走行状態から変化があった場合など所定の間隔で、車両制御系ユニット２０の各種センサなどから車両の走行状態として、「速度、加速度、ブレーキ状態、ステアリングの位置、現在地、パーキングブレーキの状態、シフトレバーの位置」などを取得し、近距離通信部１１を介して携帯端末４０に送信する。
【００３５】
表示制御部１８は、情携帯端末４０との間に無線通信が確立された後に、携帯端末４０からデータを受信した場合には、各種データを当該車載装置１０で出力可能な形式に変換して、表示操作部１２および／またはスピーカー３０に出力する。具体的には、表示制御部１８は、情携帯端末４０との間に無線通信が確立された後に近距離通信部１１を介して受信された画像に関しては、自装置で表示可能なフォーマットに変換したり、表示操作部１２のディスプレイ（またはタッチパネル）にあわせた画像に変換して表表示したりする。また、表示制御部１８は、情携帯端末４０との間に無線通信が確立された後に近距離通信部１１を介して受信された音声信号に関しては、自装置で出力可能なフォーマットに変換してスピーカー３０から出力する。
【００３６】
例えば、表示制御部１８は、情携帯端末４０との間に無線通信が確立された後に近距離通信部１１を介して携帯端末４０で設定されているナビゲーション情報（目的地と目的地までの案内ルートまでの画像や音声）が取得された場合に、当該取得されたナビゲーション画像については表示操作部１２のディスプレイ（またはタッチパネル）の幅（Ｗピクセル）×高さ（Ｈピクセル）にあわせた画像に変換して表示操作部１２に表示し、当該取得されたナビゲーション音声については、自装置で出力可能なフォーマットに変換してスピーカー３０から出力する。
【００３７】
その後、表示制御部１８は、携帯端末４０側で走行ルートが案内されるたびに送信されて取得した情報（ナビゲーション画像やナビゲーション音声）を当該車載装置１０で出力可能な形式に変換して、表示操作部１２および／またはスピーカー３０に出力する。
【００３８】
操作情報送信部１９は、無線通信により連携接続される携帯端末４０から取得した情報であって、表示操作部１２に表示する情報が利用者により操作された場合に、当該操作された内容を特定する操作情報を携帯端末４０に送信する。具体的に例を挙げると、操作情報送信部１９は、表示操作部１２からのタッチ情報を受け付け、受け付けたタッチ情報を近距離通信部１１経由で携帯端末４０へ通知する処理を行う。
【００３９】
また、携帯端末４０では、通知されたタッチ情報を表示画面に対する入力操作へ変換し、かかる入力操作に基づいてアプリを動作させるとともに、表示画面更新などの処理を行うことになる。そして、操作情報送信部１９により携帯端末４０に送信された操作の操作結果は、携帯端末４０から出力されて近距離通信部１１を介して取得された後、表示制御部１８によって当該車載装置１０で出力可能な形式に変換されて、表示操作部１２および／またはスピーカー３０に出力される。なお、操作情報送信部１９が携帯端末４０へ通知する情報としては、操作された位置を示す座標や操作された位置から特定される操作コマンドである。
【００４０】
また、操作情報送信部１９は、表示操作部１２のディスプレイの画面内に表示しきれない部分を表示するために、表示内容を上下左右に移動させるスクロール動作を実行することもできる。例えば、操作情報送信部１９は、図３−１に示すように、表示操作部１２のディスプレイを４分割する。そして、操作情報送信部１９は、図３−１に示すように、ユーザによりタッチされた位置が、４分割の中心からどのくらいの距離に位置するかにより、スクロールの方向および移動量を決める。その後、操作情報送信部１９は、決定したスクロールの方向および移動量分を移動させた画面を表示する。
【００４１】
例を挙げると、操作情報送信部１９は、中心からの距離が「Ｘ」未満である場合には、スクロール１回分と決定し、中心からの距離が「Ｘ」以上で「Ｙ」未満である場合には、スクロール２回分と決定し、中心からの距離が「Ｙ」以上である場合には、スクロール３回分と決定する。そして、操作情報送信部１９は、例えば、スクロール１回分＝１０ｃｍなどの基準を基に、決定したスクロール分画面を移動させる。なお、図３−１は、ディスプレイの画面分割例を示す図であり、図３−２は、スクロール移動量の例を示す図である。
【００４２】
（携帯端末４０の構成）
次に、実施例１に係る車載システムにおける携帯端末４０の構成について説明する。図２に示すように、携帯端末４０は、通信部４１と、近距離通信部４２と、スピーカー４３と、表示操作部４４と、記憶部４５と、制御部４６とを有する。
【００４３】
通信部４１は、例えば、通信事業者の基地局などを介してインターネットなどのネットワーク上に設けられたサーバ装置やＧＰＳ（Global  Positioning  System）通信機との通信を行うデバイスである。具体的に例を挙げると、通信部４１は、携帯端末４０でナビゲーションアプリが実行されている場合には、当該ナビゲーションアプリの指示によりＧＰＳなどと通信して、携帯端末４０の現在位置などを取得する。
【００４４】
近距離通信部４２は、車載装置１０の近距離通信部１１と同様に、ブルートゥース（登録商標）などの近距離無線通信を用いて車載装置１０との通信リンクを確立するとともに、確立した通信リンクを用いて携帯端末４０／車載装置１０間の通信処理を行う。
【００４５】
スピーカー４３は、後述する制御部４６などから音声信号を受け付けると、当該音声信号を外部に出力し、また、通常の電話接続時の音声などを外部に出力する。また、表示操作部４４は、タッチパネルディスプレイなどの入出力デバイスで構成され、後述する制御部４６などから出力された画像を表示出力する。
【００４６】
記憶部４５は、制御部４６による各種処理に必要なデータおよびプログラムを格納するものであり、例えば、後述する制御部４６により読み出されて実行されるアプリを記憶するアプリＤＢ４５ａと、車両の走行状態が走行中である場合に操作を規制するか否かを示す規制情報を記憶する規制情報ＤＢ４５ｂとを有する。
【００４７】
アプリＤＢ４５ａは、上記したように、後述する制御部４６により読み出されて実行されるアプリを記憶するデータベースやメモリなどであり、例えば、ナビゲーションアプリ、音楽ダウンロードアプリ、動画像配信アプリなど、携帯端末４０で実行可能なアプリケーションを記憶する。
【００４８】
規制情報ＤＢ４５ｂは、上記したように、車両の走行状態が走行中である場合に操作を規制するか否かを示す規制情報を記憶する。具体的には、規制情報ＤＢ４５ｂは、携帯端末４０で実行されるアプリケーションと、車両の走行状態が走行中である場合に操作を規制するか否かを示す規制情報とを対応付けて記憶する。例えば、規制情報ＤＢ４５ｂは、図４−１に示すように、「アプリケーション、規制情報」として「ナビゲーション、有り」、「音楽プレーヤー、無し」、「テレビ視聴、無し」、「メール送受信、有り（自動受信：送信機能は規制するが、受信については自動で行われるため規制しない）」などを記憶する。
【００４９】
また、例えば、規制情報ＤＢ４５ｂは、車載装置１０に予め備えられたスイッチ（ＳＷ）を示すオブジェクトと、車両の走行状態が走行中である場合に操作を規制するか否かを示す規制情報とを対応付けて記憶することもできる。例えば、規制情報ＤＢ４５ｂは、図４−２に示すように、「オブジェクト、規制情報」として「ナビゲーションＳＷ、有り」、「音楽プレーヤーＳＷ、無し」、「テレビ関連ＳＷ、無し」、「エアコン操作、無し」などを記憶する。なお、図４−１は、規制情報ＤＢに記憶されるアプリケーションごとに規制する場合の規制情報を示す図であり、図４−２は、規制情報ＤＢに記憶されるオブジェクトごとに規制する場合の規制情報を示す図である。
【００５０】
制御部４６は、ＯＳ（Operating  System）などの制御プログラム、各種の処理手順などを規定したプログラムおよび所要データを格納するための内部メモリを有して、音声通話などの処理を実行するとともに、無線確立部４７と、操作判定部４８と、操作制御部４９とを有し、これらによって種々の処理を実行する。
【００５１】
無線確立部４７は、車載装置１０との間で無線通信を確立する処理部であり、具体的には、近距離通信部４２を介して、車載装置１０からペアリング処理などを受信した場合に、当該処理に対する応答を車載装置１０に送信して無線通信を確立する。
【００５２】
操作判定部４８は、近距離通信部４２やスピーカー４３、表示操作部４４と接続され、車載装置１０から操作情報を受信した場合に、車両の走行情報に基づいて、当該操作情報により特定される操作を規制するか否かを判定する。具体的には、操作判定部４８は、車載装置１０から操作情報を受信し、かつ、最近受信した車両の走行情報が「走行中」であるまたは車両の走行情報から「走行中」と判断できる場合には、規制情報ＤＢ４５ｂを参照して当該操作情報に対応する規制情報が「有り」か「無し」であるかを判定し、その結果と規制情報を操作制御部４９に出力する。また、操作判定部４８は、車載装置１０から操作情報を受信し、かつ、最近受信した車両の走行情報が「停止中」であるまたは車両の走行情報から「停止中」と判断できる場合には、規制情報ＤＢ４４ｂを参照することなく、受信した操作情報を許可すると判定し、その結果と規制情報を操作制御部４９に出力する。
【００５３】
例えば、操作判定部４８は、車載装置１０から操作情報として「目的変更（目的地変更コマンド）」を受信し、かつ、最近受信した車両の走行情報が「走行中」である場合には、規制情報ＤＢ４５ｂを参照して、受信した「目的変更（目的地変更コマンド）」を規制すると判定する。また、操作判定部４８は、車載装置１０から操作情報として「曲選択（音楽プレーヤーコマンド）」を受信し、かつ、最近受信した車両の走行情報が「走行中」である場合には、規制情報ＤＢ４５ｂを参照して、受信した「曲選択（音楽プレーヤーコマンド）」を規制しないと判定する。
【００５４】
また、例えば、操作判定部４８は、車載装置１０から操作情報として「エアコンの温度変更（温度変更コマンド）」を受信し、かつ、最近受信した車両の走行情報が「走行中」である場合には、規制情報ＤＢ４５ｂを参照して、受信した「エアコンの温度変更（温度変更コマンド）」を規制しないと判定する。
【００５５】
なお、ここで、操作判定部４８は、車載装置１０から操作情報を受信した場合、最近受信した走行状態から車両が走行中であるか否かを判定して、規制情報ＤＢ４５ｂを参照する例について説明したが、例えば、車載装置１０から操作情報を受信すると、車両の走行状態を車載装置１０から取得して、車両が走行中であるか否かを判定するようにしてもよい。そうすることで、リアルタイムをより考慮した判定ができる。
【００５６】
操作制御部４９は、近距離通信部４２やスピーカー４３、表示操作部４４と接続され、操作判定部４８により操作を規制しないと判定された場合には、当該操作を実行して得られる操作結果を車載装置１０に応答し、操作判定部４８により操作を規制すると判定された場合には、当該操作を拒否する。具体的には、操作制御部４９は、操作判定部４８から規制するという判定結果を受信した場合には、当該操作を拒否する旨の応答を車載装置１０に送信したり、当該操作を拒否する旨の音声や画像メッセージをスピーカー４３や表示操作部４４に出力したりする。
【００５７】
また、操作制御部４９は、操作判定部４８から規制しないという判定結果を受信した場合には、当該判定結果とともに受信した操作情報に対応する操作を実施し、その結果を車載装置１０に送信したり、その結果をスピーカー４２や表示操作部４３に出力したりする。例えば、操作判定部４８から規制しないという判定結果を受信した場合には、当該判定結果とともに受信した操作情報が「目的地変更（目的地変更コマンド）」であった場合、「目的地変更（目的地変更コマンド）」に対応する操作として、新たな目的地を入力させる「目的地変更画面」を車載装置１０に送信する。
【００５８】
［車載システムによる処理］
次に、図５と図６を用いて、車載システムによる処理を説明する。図５は、実施例１に係る車載装置における車載装置での処理の流れを示すフローチャートであり、図６は、実施例１に係る車載装置における携帯端末での処理の流れを示すフローチャートである。
【００５９】
（車載装置１０での処理の流れ）
図５に示すように、車載システム１の車載装置１０は、携帯端末４０との間に無線通信が確立されると（ステップＳ１０１肯定）、車両の走行状態を検出して携帯端末４０に送信する（ステップＳ１０２）。なお、車載装置１０は、５分に１回や前回取得した走行状態から変化があった場合など所定の間隔で、車両制御系ユニット２０の各種センサから車両の走行状態を取得し、近距離通信部１１を介して携帯端末４０に送信する。
【００６０】
そして、車載装置１０は、表示操作部１２によりユーザの操作が検出されると（ステップＳ１０３肯定）、検出した操作情報（例えば、操作位置を示す座標や、検出した操作位置などから特定した操作コマンド）を携帯端末４０に送信する（ステップＳ１０４）。
【００６１】
その後、車載装置１０は、送信した操作情報が実行された操作結果の画像や音声、または、操作を拒否する旨の応答を携帯端末４０から受信すると（ステップＳ１０５肯定）、受信した画像を表示操作部１２に出力したり、受信した音声をスピーカー３０などに出力したりする（ステップＳ１０６）。
【００６２】
そして、車載装置１０は、無線通信が確立されている間（ステップＳ１０７否定）、上記したステップＳ１０３〜ステップＳ１０７の処理を繰り返し、無線通信が切断されると（ステップＳ１０７肯定）、処理を終了する。
【００６３】
（携帯端末４０での処理の流れ）
図６に示すように、車載システム１の携帯端末４０は、車載装置１０との間に無線通信が確立された上で（ステップＳ２０１肯定）、車載装置１０から操作情報を受信すると（ステップＳ２０２肯定）、最近受信した走行状態から車両が走行中か否かを判定する（ステップＳ２０３）。
【００６４】
続いて、携帯端末４０は、最近受信した走行状態から車両が走行中であると判定した場合（ステップＳ２０４肯定）、受信した操作情報が規制されているか否かを規制情報ＤＢ４５ｂを参照して判定する（ステップＳ２０５とステップＳ２０６）。
【００６５】
そして、携帯端末４０は、受信した操作情報が規制されている場合には（ステップＳ２０６肯定）、当該操作を拒否する旨の応答を車載装置１０に送信したり、当該操作を拒否する旨の音声や画像メッセージをスピーカー４３や表示操作部４４に出力したりし（ステップＳ２０７）、受信した操作情報が規制されていない場合には（ステップＳ２０６否定）、受信した操作情報に対応する操作を実施し、その結果を車載装置１０に送信したり、その結果をスピーカー４３や表示操作部４４に出力したりする（ステップＳ２０８）。
【００６６】
ステップＳ２０４に戻り、最近受信した走行状態から車両が走行中でない、つまり、停車中であると判定した場合（ステップＳ２０４否定）、携帯端末４０は、受信した操作情報に対応する操作を実施し、その結果を車載装置１０に送信したり、その結果をスピーカー４３や表示操作部４４に出力したりする（ステップＳ２０８）。
【００６７】
［実施例１による効果］
このように、実施例１によれば、車載装置と携帯端末とが無線通信により連携接続されている状態であっても、高性能でない安価なＤＡを用いていても、車両が走行中の場合、携帯端末側で操作を抑止することができる結果、運転に必要のない不要な操作を抑止して、安全運転を促進させることができる。
【００６８】
また、実施例１によれば、携帯端末４０で実行されるアプリケーションごと、つまり、車載装置１０と連携して実行されるアプリケーションごとに規制情報を設定および制御することができる。その結果、携帯端末の機種などにより搭載されるアプリケーションが異なることが一般的ではあるが、携帯端末側でアプリケーションごとの規制情報を設定するので、どのような携帯端末が車載装置と連携接続された場合であっても、運転に支障を及ぼすアプリケーション操作などを規制することができ、安全運転を促進させることができる。
【００６９】
また、実施例１によれば、車載装置１０に設けられたハードスイッチ（ハードＳＷ）ごとの規制情報を携帯端末側で設定することができる。その結果、法令による予め設定されている規制を解除するような不正改造が車載装置１０自体に実施された場合であっても、携帯端末側で規制を行うことができる。
【実施例２】
【００７０】
さて、これまで本発明の実施例について説明したが、本発明は上述した実施例以外にも、種々の異なる形態にて実施されてよいものである。そこで、以下に異なる実施例を説明する。
【００７１】
［走行状態の判定］
例えば、実施例１では、車載装置１０が走行情報を送信して、携帯端末４０が走行状態を判定する場合について説明したが、本発明はこれに限定されるものではなく、車載装置１０が走行状態を判定した走行判定結果（走行中または停車中）を送信し、携帯端末４０は、受信した走行判定結果が走行中である場合に、規制制御を行うようにしてもよい。
【００７２】
具体的には、車載装置１０は、所定の間隔で、車両制御系ユニット２０の各種センサなどから車両の走行状態を取得して車両が走行中であるか停車中であるかを判定する。そして、車載装置１０は、判定した結果を携帯端末４０に送信し、携帯端末４０は、受信した走行判定結果が走行中である場合に、規制情報ＤＢ４５ｂを参照して規制制御を行う。
【００７３】
［規制判定］
例えば、実施例１では、携帯端末４０が車両が走行中である場合に、規制情報ＤＢ４５ｂを参照して規制制御を行う例について説明したが、本発明はこれに限定されるものではなく、車載装置１０が規制制御を行うこともできる。
【００７４】
具体的には、車載装置１０が規制情報ＤＢ４５ｂを保持しておき、実施例１で説明したような携帯端末４０で実行される規制制御を行うようにすることもできる。こうすることにより、法令による予め設定されている規制を解除するような不正改造が携帯端末４０自体に実施された場合であっても、車載装置側で規制を行うことができる。
【００７５】
［規制中の携帯端末］
例えば、実施例で開示する車載システム１の携帯端末４０は、車載装置１０から取得した走行状態から車両が「走行中」であると判定できる場合や、車載装置１０から車両が「走行中」であると受信した場合、携帯端末４０自体のバックライトをＯＦＦにする制御を実施する。こうすることにより、操作規制中をユーザに視覚的に通知することができ、ユーザの無用な操作をより防止することができる。
【００７６】
［システム構成等］
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（例えば、図４など）については、特記する場合を除いて任意に変更することができる。
【００７７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、表示制御部１８と操作情報送信部１９とを統合するなど）して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７８】
［プログラム］
なお、本実施例で説明した操作規制制御方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００７９】
以上のように、本発明に係る車載システムは、車両に搭載される表示部を有する車載装置と、当該車載装置と無線通信で接続される携帯端末装置とを有するシステムに有用であり、特に、車両が走行中の場合、不要な操作を抑止して、安全運転を促進させることに適する。
【図面の簡単な説明】
【００８０】
【図１】実施例１に係る車載システムの概要を説明するための図である。
【図２】実施例１に係る車載システムの構成を示すブロック図である。
【図３−１】ディスプレイの画面分割例を示す図である。
【図３−２】スクロール移動量の例を示す図である。
【図４−１】規制情報ＤＢに記憶されるアプリケーションごとに規制する場合の規制情報を示す図である。
【図４−２】規制情報ＤＢに記憶されるオブジェクトごとに規制する場合の規制情報を示す図である。
【図５】実施例１に係る車載装置における車載装置での処理の流れを示すフローチャートである。
【図６】実施例１に係る車載装置における携帯端末での処理の流れを示すフローチャートである。
【符号の説明】
【００８１】
１  車載システム
１０  車載装置
１１  近距離通信部
１２  表示操作部
１５  制御部
１６  無線確立部
１７  走行情報送信部
１８  表示制御部
１９  操作情報送信部
２０  車両制御系ユニット
２０ａ  車速センサ
２０ｂ  ＧＰＳ通信部
２０ｃ  加速度センサ
２０ｄ  ブレーキセンサ
３０  スピーカー
３１  ハードＳＷ
４０  携帯端末
４１  通信部
４２  近距離通信部
４３  スピーカー
４４  表示操作部
４５  記憶部
４５ａ  アプリＤＢ
４５ｂ  規制情報ＤＢ
４６  制御部
４７  無線確立部
４８  操作判定部
４９  操作制御部
【図１】
2010130670.tif 000003
【図２】
2010130670.tif 000004
【図３−１】
2010130670.tif 000005
【図３−２】
2010130670.tif 000006
【図４−１】
2010130670.tif 000007
【図４−２】
2010130670.tif 000008
【図５】
2010130670.tif 000009
【図６】
2010130670.tif 000010